(57)【要約】【課題】タッチパネルに対する支持機能および保護機能の向上およびタッチパネルを備える電子装置の表示領域に対する筐体構造の小型化を図る。【解決手段】タッチパネル（８、３８）と、リアケース（背面ケース６、４６、９０）と、フロントケース（前面ケース４、３２）とを備える。リアケースは、タッチパネルの周縁側の一部または全部に延伸させる壁部（リブ１８、５４）が形成される。フロントケースは、タッチパネルの表示面側および壁部に跨り、壁部の一部の面に接触させてリアケースと接合させる。そしてフロントケースは、壁部によってタッチパネルの配置位置に対して表示窓部（２０、３６）が区分される。【選択図】    図１
2014187569.tif 000002
【特許請求の範囲】
【請求項１】
タッチパネルと、
前記タッチパネルの周縁側の一部または全部に延伸させる壁部が形成されたリアケースと、
前記タッチパネルの表示面側および前記壁部に跨り、前記壁部の一部の面に接触させて前記リアケースと接合させるフロントケースと、
を備え、
前記フロントケースは、前記壁部によって前記タッチパネルの配置位置に対して表示窓部が区分されることを特徴とする電子装置。
【請求項２】
前記リアケースは、少なくとも前記フロントケースとの接合面側に着色され、
前記フロントケースは光透過性材料で形成され、前記タッチパネルを通じて表示される画像を前記表示窓部から透過するとともに、前記表示窓部を除き、前記リアケースの着色面を透過させることを特徴とする、請求項１に記載の電子装置。
【請求項３】
前記壁部は、先端部を前記フロントケースの内壁側に沿って屈曲させて前記フロントケースに前記表示窓部を形成することを特徴とする、請求項１または請求項２に記載の電子装置。
【請求項４】
前記壁部は、前記屈曲部分を延伸させて前記フロントケースと前記タッチパネルとの間に積層させ、前記タッチパネルの前面側の一部を覆うことを特徴とする、請求項３に記載の電子装置。
【請求項５】
前記フロントケースは、一部に前記壁部を嵌合させる嵌合凹部が形成されることを特徴とする、請求項１ないし請求項４のいずれかに記載の電子装置。
【発明の詳細な説明】
【技術分野】
【０００１】
本発明は、タッチパネルを支持する支持構造が形成される筐体を備える電子装置に関する。
【背景技術】
【０００２】
携帯電話機などの電子装置は、表示手段としてＬＣＤ（Liquid Crystal Display）などの機能部品が筐体内に設置されている。この筐体は、たとえば内部に設置したＬＣＤが表示する画像を外部に透過させるために、表示窓が形成されている。この表示窓が形成される筐体は、たとえば筐体内部への異物や水分の進入を防止するために、筐体に透明な部材を貼り付けるものや、筐体自体に透明な部材が用いられるものなどがある。また筐体は、内部に設置するＬＣＤなどの機能部品に対して支持強度をもたせるために、支持用のリブなどを介在させて設置するものが知られている。
【０００３】
そのほか、電子装置は、表示画面に対するユーザの指などの接触により入力操作を行うタッチパネルを備えるものがある。このタッチパネルは、たとえば接触を検出するために、電子装置の筐体外装側に貼り付けられ、または嵌め込ませることで接触面を露出させて設置されている。
【０００４】
このような表示手段を備える筐体構造に関し、ＬＣＤユニットが収納されるフレームと、ＬＣＤ窓が一体に形成され、フレームとＬＣＤ窓は、透明または半透明な部材で形成されるものが知られている（たとえば、特許文献１）。また、携帯電話機の筐体内部において、ＬＣＤを保持するホルダに対し、筐体内部に形成されたリブを接触させて支持するものが知られている（たとえば、特許文献２）。タッチパネルを含む表示装置の表面側を覆った筐体の表示部分に窓部が形成され、その窓部に透明なウインドウが設置されるものが知られている（たとえば、特許文献３）。
【先行技術文献】
【特許文献】
【０００５】
【特許文献１】特開２００１−００７９０５号公報
【特許文献２】特開２００２−２８７１１６号公報
【特許文献１】特開２０１０−０３５０４６号公報
【発明の概要】
【発明が解決しようとする課題】
【０００６】
ところで、タッチパネルを筐体外部に露出させる電子装置は、筐体とタッチパネルとの接合部分から筐体内部への異物の混入を阻止するために、樹脂製のパッキンなどを設置する。パッキンは、たとえば筐体とタッチパネルとの接着部材を利用するものがある。このようなパッキンは、たとえば筐体とタッチパネルに対する接着強度および異物混入阻止機能を発揮するために一定の幅をもって形成する必要がある。パッキンを介在させた部分は、表示手段からの画像を透過させることができず、タッチパネルの機能を利用できないため、タッチパネルおよび表示手段の有効範囲が狭められるとともに、電子装置の表示部周縁の額縁部分が大きくなるという課題がある。
【０００７】
また、電子装置の筐体は、たとえば落下などの衝撃による損傷を防止するためには、設置されたタッチパネルの周囲側やタッチパネルを載置させる載置部分を厚く形成する必要がある。筐体外部に露出して設置されたタッチパネルは、たとえば電子装置の落下など、外部からの衝撃を受けた場合、筐体からの分離や表面部分の損傷により、表示機能や入力機能が利用できなくなるおそれがある。
【０００８】
このように、電子装置は、タッチパネルに対する接着機能、異物混入阻止機能および保護強度をもたせるためにタッチパネル周縁側の筐体幅が大きくなると、表示領域が狭くなるほか、電子装置の大型化に繋がるという課題がある。
【０００９】
そこで、本開示技術の目的は、上記課題に鑑み、タッチパネルに対する支持機能および保護機能の向上を図ることにある。
【００１０】
また、本開示技術の他の目的は、タッチパネルを備える電子装置の表示領域に対する筐体構造の小型化を図ることにある。
【課題を解決するための手段】
【００１１】
上記目的を達成するため、本開示の構成の一側面は、タッチパネルと、リアケースと、フロントケースとを備える。リアケースは、前記タッチパネルの周縁側の一部または全部に延伸させる壁部が形成される。フロントケースは、前記タッチパネルの表示面側および前記壁部に跨り、前記壁部の一部の面に接触させて前記リアケースと接合させる。そして前記フロントケースは、前記壁部によって前記タッチパネルの配置位置に対して表示窓部が区分される。
【発明の効果】
【００１２】
本開示の電子装置によれば、次のいずれかの効果が得られる。
【００１３】
(1)  タッチパネルの周縁側に壁部を延伸させ、タッチパネルと壁部に跨ってフロントケースを設置させることで、タッチパネルの設置面を外部に露出させず、かつフロントケースとリアケースとの接合距離が長くなり、異物混入阻止機能および筐体強度の保持が図れる。
【００１４】
(2)  タッチパネルの周縁側でフロントケースとリアケースとを接合させて異物混入阻止機能および筐体強度を保持でき、リアケースを狭小に形成できるので、電子装置の表示機能に対する狭額縁化が図れる。
【００１５】
(3)  フロントケースをタッチパネルの前面側に配置し、その内壁側にタッチパネルを接着させることで、接着面積を大きくとることができ、タッチパネルの保持機能および外部からの衝撃保護機能の向上が図れる。
【００１６】
そして、本発明の他の目的、特徴および利点は、添付図面および各実施の形態を参照することにより、一層明確になるであろう。
【図面の簡単な説明】
【００１７】
【図１】第１の実施の形態に係る電子装置の構成例を示す図である。
【図２】第２の実施の形態に係る電子装置の外観構成例を示す図である。
【図３】電子装置の内部構成例を示す図である。
【図４】背面ケースの内部形状の一例を示す図である。
【図５】前面ケースの内部側の構成例を示す図である。
【図６】前面ケースの平面部分にタッチパネルが設置された状態例を示す図である。
【図７】図２のＶＩＩ−ＶＩＩ線断面を示す図である。
【図８】第３の実施の形態に係る電子装置の内部構成の一例を示す図である。
【図９】図８のＩＸ−ＩＸ線断面を示す図である。
【図１０】第４の実施の形態に係る電子装置の構成例を示す図である。
【図１１】その他の実施の形態に係る電子装置の内部構成例を示す図である。
【図１２】図１１のＸＩＩ−ＸＩＩ線断面を示す図である。
【発明を実施するための形態】
【００１８】
〔第１の実施の形態〕
【００１９】
図１は、第１の実施の形態に係る電子装置の構成例を示している。図１に示す構成は一例であり、本発明が斯かる構成に限定されるものではない。
【００２０】
図１に示す電子装置２は、本開示の電子装置の一例であり、筐体の前面側の一部に画像表示機能および操作入力機能を備えている。この電子装置２は、たとえば携帯電話機や携帯情報処理装置、表示装置のほか、携帯ゲーム機などが含まれる。筐体は、たとえば少なくとも前後に分離可能に接合される前面ケース４および背面ケース６を備えている。筐体の内部に設置される機能部品には、たとえばタッチパネル８、ＬＣＤ表示装置１０、基板１２が含まれる。
【００２１】
タッチパネル８は、内部に設置されたＬＣＤ表示装置１０から発せられる表示画像の光を透過させるとともに、ユーザの指などの接触の有無および接触位置を検出して入力操作を行う手段の一例である。このタッチパネル８は、たとえば図示しないセンサなどが配線されたガラス層などの平板状部材が複数枚積層されて形成されている。タッチパネル８は、たとえば押圧による接触を検出する押圧式、または生体指などの接触による静電容量の変化を検出する静電容量式などの何れであってもよい。
【００２２】
ＬＣＤ表示装置１０は、ＬＣＤユニットを備える画像生成手段の一例である。このＬＣＤ表示装置１０およびタッチパネル８は、それぞれ電子装置２を動作させる機能部品が実装された基板１２に接続されている。タッチパネル８は、図示しないフレキシブルケーブルなどを利用して基板１２に接続されればよい。この基板１２は、コンピュータで構成され、演算手段やメモリなどを備えており、制御部として機能する。そして電子装置２の表示処理やタッチパネル８に対する入力により、電子装置２の各種機能が実行される。
【００２３】
＜電子装置２の筐体構造について＞
【００２４】
前面ケース４は、本開示のフロントケースの一例であり、たとえばＬＣＤ表示装置１０からの表示画像を透過させるために透明色などの透過率の高い色の樹脂材料などで形成されている。前面ケース４は、平面部１４の内壁側に、タッチパネル８が図示しない接着部材を介して接着される。この接着部材は、たとえば透明色であり、タッチパネル８の平面部分に対して全面または周縁側に沿って塗布される。
【００２５】
前面ケース４の周縁部１６は、平面部１４に対して直角方向またはそれに近似した角度方向に屈曲され、電子装置２の筐体側面部の一部となる。前面ケース４は、平面部１４および周縁部１６が背面ケース６の端部側の一部に跨って設置されている。すなわち前面ケース４の平面部１４および周縁部１６は、背面ケース６の端部側の面に対して接合状態となっている。前面ケース４の端部は、たとえば電子装置２の側面側において、背面ケース６の一部に接続される。前面ケース４と背面ケース６は、たとえば図示しない係止部品が形成され、または外部の係止部品を介在させて接続されればよい。
【００２６】
背面ケース６は、本開示のリアケースの一例であり、たとえば先端側の一部に、前面ケース４の平面部１４に設置されたタッチパネル８の周縁側まで延伸させたリブ１８が形成される。リブ１８は、前面ケース４に接触させることで、平面部１４を区分して表示窓部２０を設定する壁部の一例であり、タッチパネル８の一部または全周に沿って形成されている。すなわち、リブ１８は、透明色または透過率が高い材料で形成された前面ケース４の平面部１４に接触部分の外形またはその陰影、色が透過状態となることで、タッチパネル８の境界部分を示す。背面ケース６の外周部分には、塗料や着色テープなどが塗布され、筐体内部に対する光を透過させないように形成されている。
【００２７】
これにより、前面ケース４には、リブ１８によって区分けされた平面部１４の一部であり、内部にタッチパネル８が配置された部分に表示窓部２０が設定される。この表示窓部２０は、背面ケース６が接合されないため、タッチパネル８およびＬＣＤ表示装置１０が透過し、表示画像が平面部１４から透過する。また、平面部１４の表示窓部２０以外の部分は、背面ケース６が接合され、背面ケース６に塗布された着色塗料などが透過されることで、筐体内部の機能部品の外形や陰影または光を透過させない縁部２２となる。
【００２８】
電子装置２の前面ケース４は、表示窓部２０を除く部分において、背面ケース６の一部に接合されており、背面ケース６の着色を外部に透過させることで、筐体の内部が外部から目視されるのを阻止している。
【００２９】
＜前面ケース４と背面ケース６の接合部分について＞
【００３０】
前面ケース４は、平面部１４の一部および周縁部１６を背面ケース６のリブ１８の外装側に接合されている。背面ケース６は、たとえばリブ１８の外装側の一部に凹部２４を形成しており、この凹部２４に前面ケース４の周縁部１６が配置されることで、電子装置２の筐体側面部における前面ケース４と背面ケース６の接続面を一致させている。
【００３１】
前面ケース４の周縁部１６の長さは、たとえば任意に設定されればよい。リブ１８と前面ケース４のとの接合部分は、たとえば長さが長いほど背面ケース６に対する前面ケース４の接続強度が大きくなる。また、この接合部分が長くなることで、電子装置２は、筐体外部から内部側への進入経路が長くなり、異物混入の阻止機能が高くなる。
【００３２】
また、前面ケース４の内壁側の一部には、リブ１８を係止させる係止凹部２６が形成されており、この係止凹部２６の内部にリブ１８が配置されることで、前面ケース４と背面ケース６とが平面方向に変位するのを防止している。
【００３３】
その他、電子装置２の内部には、たとえば背面ケース６側に電池や、図示しない機能部品を備えている。
【００３４】
斯かる構成によれば、次の効果を得ることができる。
【００３５】
（１）背面ケース６のリブ１８をタッチパネル８の周縁側に延伸させ、前面ケース４がタッチパネル８とリブ１８とを跨いで設置されることで、前面ケース４と背面ケース６の接合距離が長くなり、異物混入を阻止するとともに、筐体強度の保持が図れる。
【００３６】
（２）タッチパネル８の周縁側で前面ケース４と背面ケース６とを接合させて異物混入阻止機能および筐体強度を保持し、背面ケース６を幅広に形成させないので、電子装置２の表示機能に対する狭額縁化を図ることができる。
【００３７】
（３）前面ケース４をタッチパネル８の前面側に配置し、その内壁側にタッチパネル８を接着させることで、接着面積を大きくとることができ、タッチパネル８の保持機能および外部からの衝撃保護機能の向上が図れる。
【００３８】
（４）リブ１８によって表示窓部２０を区分し、タッチパネル８と筐体との境界部分に隙間を生じさせないので、外観性を向上させることができる。
【００３９】
（５）透過性の高い部材で形成された前面ケース４が背面ケース６に着色された色を透過させることで、表示窓部２０の境界部分の塗り分けが不要であり、製造処理の簡易化および表示領域の区分け部分の明瞭化が図れる。
【００４０】
（６）電子装置２の小型化、額縁部の狭小化により前面ケース４の平面部１４と周縁部１６との間の屈曲部分などに対するインモールドフィルムなどの付着が困難な場合でも、電子装置２の内部部品が外部に露出するのを阻止することができる。
【００４１】
〔第２の実施の形態〕
【００４２】
図２は、第２の実施の形態に係る電子装置の外観構成例を示している。図２に示す構成は一例である。
【００４３】
図２に示す電子装置３０Ａは、たとえば携帯電話機や携帯情報処理装置であり、前面ケース３２の平面部３４側の一部に、表示領域およびタッチパネルによる操作領域が区分された表示窓部３６が形成される。前面ケース３２は、少なくとも平面部３４の表示窓部３６が透明色または光の透過性が高い色の部材で形成されている。前面ケース３２は、内部にタッチパネル３８が設置されており、平面部３４の外装側には表示窓部３６としてタッチパネル３８を透過した画像の表示領域と非表示領域との境界が透過される。すなわち、前面ケース３２は、平面部３４の表示領域とその縁部部分が面一状態となっている。
【００４４】
平面部３４は、表示窓部３６によって区分された表示領域を除き、たとえば背面ケース４６（図３）の着色面を透過させることで、電子装置３０Ａの外観装飾が施される。
【００４５】
そのほか前面ケース３２の平面部３４側には、通話スピーカ孔や操作キー、マイクロフォン孔などが形成されてもよい。
【００４６】
＜電子装置３０Ａの構成について＞
【００４７】
図３に示す電子装置３０Ａは、たとえばタッチパネル３８を介在させて前面ケース３２と背面ケース４６とが接合される。背面ケース４６の内部には、たとえば底面側から基板４８やＬＣＤ表示装置５０が収納されている。この基板４８やＬＣＤ表示装置５０は、たとえば背面ケース４６の筐体内装側の一部に固定設置されている。また、背面ケース４６には、図４に示すように、ＬＣＤ表示装置５０の周縁側に沿って底面側から一定の高さのリブ５４が立設されている。このリブ５４は、たとえば前面ケース３２の平面部３４の内部側に接触させる高さに形成されており、背面ケース４６の側壁部５２よりも高く設定されている。
【００４８】
なお、この実施の形態ではリブ５４が電子装置３０Ａの対向する２片のみに形成されているが、これに限られない。リブ５４は、ＬＣＤ表示装置５０の全周に沿って形成されてもよい。このリブ５４が対向する範囲または包囲する範囲が前面ケース３２の平面部３４に対して表示窓部３６を形成する。
【００４９】
背面ケース４６は、たとえば内部の周縁側に沿って、側壁部５２とリブ５４との間に溝部５６が形成されており、前面ケース３２の側面側の一部が挿入される。この溝部５６は、前面ケース３２との接合部分の一部を挿入させる凹凸形状の一部であり、側壁部５２と組み合わせて前面ケース３２の一部を配置させ、または接触させてもよい。溝部５６には、たとえば内部に樹脂性のパッキン５８が設置されている。パッキン５８は、前面ケース３２の一部との接触により変形することで前面ケース３２と背面ケース４６との接続部分を覆って異物混入を阻止する。また背面ケース４６の底面部５９には、図示しない電池や、その他機能部品などが設置されてもよい。
【００５０】
＜前面ケース３２の内部側の構成について＞
【００５１】
前面ケース３２の内部には、たとえば図５に示すように、平面部３４側にタッチパネル３８が設置される。また前面ケース３２の周縁部分には、背面ケース４６の周縁側に沿って配置させるとともに、リブ５４および背面ケース４６の一部に接触させる張出し部６２が立設されている。この張出し部６２は、たとえば前面ケース３２の側壁部６０と一体に形成され、または別部材で形成されてもよく、リブ５４の配置位置およびその形状に応じて設置されている。
【００５２】
張出し部６２は、たとえば背面ケース４６と接触する部分の一部にリブ５４またはその周辺部分に係止させる係止爪６４が形成されており、この係止爪６４をリブ５４などに形成される図示しない係止部に係止させる。この係止爪６４と係止部によって前面ケース３２と背面ケース４６とを分離させないように接続させる。
【００５３】
平面部３４には、張出し部６２の内側に沿って嵌合溝部６６が形成されている。嵌合溝部６６は、背面ケース４６のリブ５４を嵌合させる嵌合凹部の一例であり、たとえばリブ５４の先端部分を内部に接触可能な深さに形成されている。
【００５４】
タッチパネル３８は、図６に示すように平面部３４に対し、嵌合溝部６６に沿って配置される。すなわち、リブ５４が挿入される嵌合溝部６６は、表示窓部３６の境界部分であり、嵌合溝部６６を回避してタッチパネル３８が配置される。
【００５５】
＜電子装置３０Ａの内部構造について＞
【００５６】
電子装置３０Ａは、たとえば図７に示すように、前面ケース３２の側壁部６０と背面ケース４６の側壁部５２とが接合されるとともに、リブ５４が嵌合溝部６６内に配置され、平面部３４に対して嵌合状態となる。このとき、前面ケース３２の張出し部６２は、溝部５６の内部に配置され、たとえば先端部分が溝部５６ないに設置されたパッキン５８に圧接される。また張出し部６２は、電子装置３０Ａの内部側の側面部分をリブ５４の側面部分に接触させている。
【００５７】
これにより電子装置３０Ａは、前面ケース３２と背面ケース４６とが側面側で接合されるとともに、リブ５４と張出し部６２とを側面側で面接触させ、さらにリブ５４を嵌合溝部６６内に嵌合させることで前面ケース３２と背面ケース４６との接触面が広く設定されている。さらに溝部５６内には、前面ケース３２の張出し部６２の先端部分との間で圧接されるパッキン５８を備えている。これにより電子装置３０Ａは、前面ケース３２と背面ケース４６との間の面接触部分を広く形成させることで、筐体内部に対する進入経路が長く設定される。
【００５８】
リブ５４は、タッチパネル３８の周囲側に配置することで、前面ケース３２の平面部３４を区分けし、表示窓部３６を設定する。透明色または透過性の高い前面ケース３２は、たとえば嵌合溝部６６に対するリブ５４の嵌合部分によってＬＣＤ表示装置５０から発した画像情報を透過させる表示領域７０と非表示領域７２とが設定される。この非表示領域７２は、前面ケース３２の表示部に対する縁部を形成している。
【００５９】
リブ５４は、たとえば前面ケース３２に接触させる表面部分の一部または全部に着色され、光の透過量が少ない状態に形成されている。リブ５４は、タッチパネル３８およびＬＣＤ表示装置５０の周囲側に配置させることで、表示画像の光を前面ケース３２の側面側や表示領域７０以外に拡散させず、表示領域７０内に透過させている。
【００６０】
背面ケース４６は、リブ５４を前面ケース３２まで延伸させ、タッチパネル３８の周囲側を包囲させている。そして前面ケース３２は、平面部３４の非表示領域７２の部分に対して背面ケース４６の一部が接触し、または対向して配置されている。これにより、前面ケース３２の非表示領域７２では、筐体外部に対し背面ケース４６が透過される。すなわち前面ケース３２の表示領域７０と非表示領域７２は、透過されるリブ５４の陰影によって境界位置が示される。
【００６１】
リブ５４は、前面ケース３２との接触面の一部を曲面形状で形成してもよく、たとえば嵌合溝部６６および張出し部６２と接触するリブ５４の先端側の角部について、一定角の曲面形状に設定すればよい。これにより、リブ５４は、曲面部分が前面ケース３２の外装に透過され、張出し部６２との境界部分を目立たせにくくすることができる。
【００６２】
斯かる構成によれば、以下のような効果が得られる。
【００６３】
(1) 前面ケース３２がタッチパネル３８および背面ケース４６の一部に跨って設置させることで、前面ケース３２に対するタッチパネル３８の境界部分を筐体外部に露出させないので、異物混入の可能性を低下させることができる。
【００６４】
(2)  タッチパネル３８を前面ケース３２の内部側に接着させるので、背面ケース４６側にタッチパネル３８の支持手段や、背面ケース４６側に幅広な接着面が不要であり、電子装置３０Ａの小型化および非表示領域７２の狭額縁化を図ることができる。
【００６５】
(3)  前面ケース３２の平面部３４にタッチパネル３８を接着させることで、接触面積を大きくとることができる。
【００６６】
(4)   タッチパネル３８の周囲において背面ケース４６のリブ５４を前面ケース３２と面接触させることにより、前面ケース３２の周縁側をリブ５４で支持させることができ、筐体強度を高めることができる。
【００６７】
(5)  前面ケース３２の非表示領域７２に対して、着色された背面ケース４６を透過させることで、筐体内部部品を外部に透過させず、また前面ケース３２に着色させないことで、表示窓部３６の境界部分に対する塗り分けが不要になり、電子装置の製造処理の簡易化が図れる。
【００６８】
(6)  リブ５４と側壁部５２との間に溝部５６を形成し、その内部にパッキン５８を設置することで、着色された側壁部５２によりパッキン５８が外部に露出するのを阻止できる。
【００６９】
〔第３の実施の形態〕
【００７０】
図８は、第３の実施の形態に係る電子装置の構成例を示している。図８に示す構成は一例である。
【００７１】
図８に示す電子装置３０Ｂは、本開示の電子装置の一例であり、前面ケース３２がタッチパネル３８を跨いで背面ケース４６と接合されている。背面ケース４６には、たとえば基板４８とＬＣＤ表示装置５０が積層されて設置されているとともに、その周縁側にリブ５４が立設されている。このリブ５４は、たとえば前面ケース３２に向けた先端側の一部を電子装置３０Ｂの中央側に向けて屈曲させた支持面部８０が形成されている。この支持面部８０は、リブ５４に形成される屈曲部の一例である。
【００７２】
支持面部８０は、たとえばリブ５４の先端部分が前面ケース３２の平面部３４に対して平行に形成されており、平面部３４に接触させる高さに設定されている。支持面部８０は、リブ５４と一体に形成されればよい。この支持面部８０は、たとえば、背面ケース４６の製造処理において、射出成形などによりリブ５４と一体に成形してもよく、またはリブ５４の一部を折曲げ加工により形成してもよい。または、支持面部８０は、たとえばリブ５４の先端側に別部材として設置してもよい。
【００７３】
支持面部８０は、前面ケース３２側を区分して表示窓部３６を設定する手段の一例であり、設置されたＬＣＤ表示装置５０およびタッチパネル３８の周囲を包囲している。支持面部８０による包囲範囲の幅は、ＬＣＤ表示装置５０の表示領域より幅広に形成されている。前面ケース３２に設置されたタッチパネル３８は、図９に示すように、支持面部８０が包囲する範囲内に収納される。前面ケース３２には、たとえば嵌合溝部６６内に支持面部８０が嵌合されている。そして、支持面部８０は、たとえば前面ケース３２の平面部３４に対し、端部側において平面部３４を区分して表示窓部３６を形成する。この支持面部８０によって表示窓部３６が設定されることで、ＬＣＤ表示装置５０およびタッチパネル３８に対する表示領域７０と非表示領域７２とが設定される。
【００７４】
前面ケース３２と背面ケース４６との接合部分については、上記実施の形態と同様に、側壁部５２、６０とを接合させるとともに、溝部５６内に張出し部６２を配置させればよい。またリブ５４は、張出し部６２に接触して設置されている。
【００７５】
なお、既述のように、リブ５４は、嵌合溝部６６および張出し部６２との接触部分について、曲面形状に形成してもよい。
【００７６】
斯かる構成によれば、リブ５４の先端部分を前面ケース３２に対して平行方向に延伸させ、平面部３４に対する背面ケース４６の接触面積を増加させることで、前面ケース３２の強度を補強させることができる。また、支持面部８０によって前面ケース３２が背面ケース４６に対して平行方向にスライドするのを阻止でき、筐体間の接合強度が上がるとともに、筐体強度を高めることができる。リブ５４の先端部分を延伸させた支持面部８０を平面部３４に接触させることで、前面ケース３２と背面ケース４６との接合面積を大きくとることができ、異物混入阻止の機能を高めることができる。
【００７７】
〔第４の実施の形態〕
【００７８】
図１０は、第４の実施の形態に係る電子装置の構成例を示している。図１０に示す構成は一例である。
【００７９】
図１０に示す電子装置３０Ｃは、本開示の電子装置の一例であり、たとえば前面ケース３２がタッチパネル３８および背面ケース９０の一部に形成されたリブ５４および支持面部８０に跨って背面ケース９０と接合されている。また、電子装置３０Ｃは、たとえば背面ケース９０の背面側にパネル９２が設置される。このパネル９２は、たとえば背面ケース９０の内部に設置される電池９４など、電子装置３０Ｃの背面側から設置される機能部品を覆う筐体の一例であり、電子装置３０Ｃの背面側の一部または全部に設置される。
【００８０】
背面ケース９０は、たとえば電子装置３０Ｃの側面側に対し前面ケース３２の側壁部６０とパネル９２の側面側との間に介在させるように突出部９６が形成されている。この突出部９６には、たとえば前面ケース３２およびパネル９２との間にパッキンなどの止水手段を介在させてもよい。
【００８１】
また、タッチパネル３８は、たとえば側部側の一部または全周に非操作領域１００が形成されている。この非操作領域１００は、たとえばタッチパネル３８のセンサ配線やその他の機能部品が実装される領域の一例であり、ＬＣＤ表示装置５０からの画像を遮蔽するほか、生体指などの接触検知を行えない。
【００８２】
この電子装置３０Ｃは、タッチパネル３８の非操作領域１００を除外して表示窓部３６を形成するために、タッチパネル３８の非操作領域１００と平面部３４との間に支持面部８０の一部を介在させて形成している。これにより、前面ケース３２は、支持面部８０の端部側と平面部３４との境界部分によって形成された表示窓部３６に対しタッチパネル３８の非操作領域１００を外部から遮蔽している。すなわち、支持面部８０は、非操作領域１００の前面側を覆うことでタッチパネル３８の操作可能な領域を表示領域７０内に設定している。
【００８３】
前面ケース３２は、たとえば平面部３４に対してタッチパネル３８と面接触させるとともに、タッチパネル３８との間に支持面部８０を配置可能な厚さに形成されている。
【００８４】
なお、この実施の形態では、背面ケース９０の一部に突出部９６を形成し、その突出部９６に対して前面ケース３２の側壁部６０およびパネル９２を設置させる場合を示したが、これに限られない。前面ケース３２の内部側に凸部を形成するとともに、背面ケース９０側にこの凸部に係合させる凹部を形成してもよい。
【００８５】
斯かる構成によれば、前面ケース３２の平面部３４に表示窓部３６を区分けする支持面部８０によってタッチパネル３８の非操作領域１００が覆われることで、表示窓部３６内全体に表示領域７０を設定することができる。また、支持面部８０に対して非操作領域１００を積層状態に設置して表示窓部３６から露出させないことで、縁部の狭小化が図れ、電子装置３０Ｃの幅方向に対する大型化を抑制できる。
【００８６】
〔その他の実施の形態〕
【００８７】
(1)  上記実施の形態では、タッチパネル３８の非操作領域１００を前面ケース３２から外部に露出させない手段として、支持面部８０を利用する場合を示したがこれに限られない。電子装置３０Ａは、たとえば図１１に示すように、前面ケース３２とタッチパネル３８との間に遮蔽部材１１０を介在させてもよい。この遮蔽部材１１０は、タッチパネル３８の非操作領域１００を覆い、前面ケース３２の表示領域７０を区分けする透過阻止部材の一例であり、たとえば着色された樹脂部材やテープ、または塗料などを塗布してもよい。
【００８８】
この遮蔽部材１１０は、タッチパネル３２に対し、非操作領域１００が形成される部分に応じて形成されればよく、一定の幅でタッチパネル３２の全周または一部に貼付または塗布される。
【００８９】
電子装置３０Ａは、たとえば図１２に示すように、前面ケース３２の平面部３４に形成された嵌合溝部６６にリブ５４が嵌合することで、平面部３４が区分されて表示窓部３６が設定される。これに対し、前面ケース３２には、表示窓部３６の内側に対し、遮蔽部材１１０の陰影や形状、または色彩が透過され、その内側の端部側にタッチパネル３８の表示領域７０と非表示領域７２が設定される。
【００９０】
斯かる構成によれば、タッチパネル３８の周縁側に背面ケース４６のリブ５４を延伸させ、タッチパネル３８とともにリブ５４に跨って前面ケース３２を設置させることで、前面ケース３２と背面ケース４６の接合距離が長くなり、外部から異物混入を阻止するとともに、筐体強度の保持が図れる。リブ５４に対する加工を行わずに、遮蔽部材１１０を塗布することで、タッチパネル３８の非操作領域１００を前面ケース３２に示すことができ、加工処理の容易化が図れる。タッチパネル３８の周縁側で前面ケース３２と背面ケース４６とを接合させて異物混入阻止機能および筐体強度を保持し、背面ケース４６を幅広に形成させないので、電子装置３０Ａの表示機能に対する狭額縁化を図ることができる。
【００９１】
次に、以上述べた実施の形態に関し、更に以下の付記を開示する。以下の付記に本発明が限定されるものではない。
【００９２】
（付記１）タッチパネルと、
前記タッチパネルの周縁側の一部または全部に延伸させる壁部が形成されたリアケースと、
前記タッチパネルの表示面側および前記壁部に跨り、前記壁部の一部の面に接触させて前記リアケースと接合させるフロントケースと、
を備え、
前記フロントケースは、前記壁部によって前記タッチパネルの配置位置に対して表示窓部が区分されることを特徴とする電子装置。
【００９３】
（付記２）前記リアケースは、少なくとも前記フロントケースとの接合面側に着色され、
前記フロントケースは光透過性材料で形成され、前記タッチパネルを通じて表示される画像を前記表示窓部から透過するとともに、前記表示窓部を除き、前記リアケースの着色面を透過させることを特徴とする、付記１に記載の電子装置。
【００９４】
（付記３）前記壁部は、先端部を前記フロントケースの内壁側に沿って屈曲させて前記フロントケースに前記表示窓部を形成することを特徴とする、付記１または付記２に記載の電子装置。
【００９５】
（付記４）前記壁部は、前記屈曲部分を延伸させて前記フロントケースと前記タッチパネルとの間に積層させ、前記タッチパネルの前面側の一部を覆うことを特徴とする、付記３に記載の電子装置。
【００９６】
（付記５）前記壁部は、前記フロントケースとの接合面側の屈曲部を曲面形状に成形することを特徴とする、付記１ないし付記４のいずれかに記載の電子装置。
【００９７】
（付記６）前記リアケースは、前記フロントケースとの接合部分の一部を挿入させる凹凸形状を備えることを特徴とする、付記１ないし付記５のいずれかに記載の電子装置。
【００９８】
（付記７）前記タッチパネルは、前記フロントケースとの接触面側の一部に透過阻止部材を介在させて表示領域が設定されることを特徴とする、付記１ないし付記６のいずれかに記載の電子装置。
【００９９】
（付記８）前記フロントケースは、一部に前記壁部を嵌合させる嵌合凹部が形成されることを特徴とする、付記１ないし付記７のいずれかに記載の電子装置。
【０１００】
以上説明したように、本発明の好ましい実施形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【符号の説明】
【０１０１】
２、３０Ａ、３０Ｂ、３０Ｃ  電子装置
４、３２  前面ケース
６、４６、９０  背面ケース
８、３８  タッチパネル
１０、５０  ＬＣＤ表示装置
１４、３４  平面部
１６  周縁部
１８、５４  リブ
２０、３６  表示窓部
２２  縁部
２６  係止凹部
５２、６０  側壁部
５６  溝部
６２  張出し部
６６  嵌合溝部
７０  表示領域
７２  非表示領域
８０  支持面部
９２  パネル
９６  突出部
１００  非操作領域
１１０  遮蔽部材
【図１】
2014187569.tif 000003
【図２】
2014187569.tif 000004
【図３】
2014187569.tif 000005
【図４】
2014187569.tif 000006
【図５】
2014187569.tif 000007
【図６】
2014187569.tif 000008
【図７】
2014187569.tif 000009
【図８】
2014187569.tif 000010
【図９】
2014187569.tif 000011
【図１０】
2014187569.tif 000012
【図１１】
2014187569.tif 000013
【図１２】
2014187569.tif 000014